(57)【要約】【課題】エンジン回転数の低下に応じて、アクチュエータ（旋回モータ）の速度を低下させる。【解決手段】エンジン回転数がフル回転数NHの場合、パイロット管路１１のパイロット圧は、リリーフ弁１３によるリリーフ圧Ｐ１に設定される。エンジン回転数が低下すると、パイロット圧油の流量が低下して、絞り部１４の差圧ΔＰの方がＰ１よりも小さくなるため、パイロット圧は差圧ΔＰに設定される。この場合、オペレータが操作レバー１２Ａをフルストローク位置まで操作して、パイロット圧油を旋回用スプール弁１に供給しても、パイロット圧が低いため、スプール弁１は全開状態にならない。これにより、旋回モータ１Ａに供給される作動油の流量が低下し、旋回速度が低下する。【選択図】図１
2007255506.tif 000002
【特許請求の範囲】
【請求項１】
建設機械の操作制御回路（１００）であって、
エンジン（５）により駆動され、エンジン回転数に応じた流量でパイロット圧油をパイロット管路（１１）に供給するパイロット油圧源（１０）と、
前記パイロット油圧源と前記パイロット管路を介して接続され、メイン油圧源（４）からアクチュエータ（１Ａ）に供給される作動油の流量を制御するための制御弁（１）に、前記パイロット油圧源からのパイロット圧油を供給することにより前記制御弁の動作を制御する操作弁（１２）と、
前記パイロット管路の途中に設けられ、前記パイロット管路の圧力を所定圧（Ｐ１）に調整する圧力調整弁（１３）と、
前記パイロット管路の途中とタンク（７）との間を接続して設けられた絞り部（１４）と、を備え、
前記絞り部は、前記エンジン（５）のエンジン回転数が第１エンジン回転数（ＮＬ）以下になった場合に、前後の差圧（ΔＰ）が前記所定圧よりも低い値となるように（ΔＰ＜Ｐ１）設定されている建設機械の操作制御回路。
【請求項２】
さらに、前記パイロット管路（１１）に接続されるアキュムレータ（１６）と、
前記絞り部（１４）と前記パイロット管路との接続点と前記アキュムレータとの間に位置して前記パイロット管路に設けられ、前記アキュムレータから前記絞り部に向かう圧油の流れを阻止し、逆向きの流れを許可する逆止弁（１５）と、
前記逆止弁と前記アキュムレータとの間に位置して前記パイロット管路の途中に設けられ、前記アキュムレータから前記パイロット管路に向かう圧油の流れを阻止し、逆向きの流れを許可する第１位置と、前記アキュムレータから前記パイロット管路へ向かう圧油の流れを許可する第２位置とを備えた切替弁（１７）と、
前記パイロット油圧源（１０）が前記パイロット管路にパイロット圧油を供給してるか否かを検出する検出手段（１７Ａ，２０，３０）と、を備え、
前記切替弁は、前記パイロット油圧源がパイロット圧油を供給している場合に、前記第１切替位置に切り替わり、前記パイロット油圧源が前記パイロット圧油の供給を停止した場合に、前記第２切替位置に切り替わるように構成されている請求項１に記載の建設機械の操作制御回路。
【請求項３】
前記メイン油圧源（４）の吐出圧と前記アクチュエータ（１Ａ）の負荷圧との差圧が一定となるように、前記メイン油圧源から前記アクチュエータに供給される作動油の流量を制御するロードセンシング機構をさらに備えている請求項２に記載の建設機械の操作制御回路。
【発明の詳細な説明】
【技術分野】
【０００１】
本発明は、建設機械の操作制御回路に関する。
【背景技術】
【０００２】
例えば、油圧ショベル等の建設機械では、下部の走行体に対して作業機を水平に旋回させるための旋回モータやアームシリンダ等の複数のアクチュエータを備えている。これらのアクチュエータは、エンジンにより駆動されるメインポンプからの圧油を動力源として、それぞれ作動する。
【０００３】
エンジンがアイドリング回転数の場合でも、各アクチュエータを円滑に作動させるために、メインポンプから各アクチュエータには、それぞれの負荷に応じた作動油がそれぞれ供給される。
【０００４】
なお、アクチュエータの負荷に応じた量の作動油を供給する技術は、ロードセンシング技術として知られている（特許文献１）。また、油圧回路にアキュムレータを設けて、エンジン停止後でも、アキュムレータを操作できるようにした技術も知られている（特許文献２）。
【特許文献１】特開２００３−３４３５１１号公報
【特許文献２】特開昭６１−２６１５３５号公報
【発明の開示】
【発明が解決しようとする課題】
【０００５】
エンジンがアイドリング回転数の場合でも、最大速度でアクチュエータを操作できるように構成すると、エンジン低速時に微妙な操作を行うことができない可能性がある。例えば、油圧ショベルの場合、上部構造体は、旋回モータの回転運動により、下部走行体に対して水平方向に回転する。エンジン回転速度にかかわらず旋回速度が一定である場合、上部旋回体を緩やかに旋回させて微妙な操作を行うことが難しくなる。
【０００６】
このために、例えば、旋回モータを駆動するための旋回用ポンプを特別に用意し、この旋回用ポンプの吐出流量をエンジン回転数に比例させたり、または、ロードセンシング機構で使用されるロードセンシング差圧をエンジン回転数に応じて自動的に補正したりする構成も考えられる。しかし、このような解決策では、制御回路の構成が複雑化し、コストも増加する。
【０００７】
本発明は、上述の問題点に鑑みてなされたもので、その目的は、比較的簡易な構成で、エンジン回転数が低下した場合に、アクチュエータの速度を低下させることができるようにした建設機械の操作制御回路を提供することにある。本発明の他の目的は、エンジン回転数が低下した場合にアクチュエータの速度を低下させることができ、さらに、エンジンが停止した場合でも、アキュムレータに蓄積されたパイロット圧油によって、アクチュエータを操作できるようにした建設機械の操作制御回路を提供することにある。
【課題を解決するための手段】
【０００８】
本発明に従う建設機械の操作制御回路は、エンジンにより駆動され、エンジン回転数に応じた流量でパイロット圧油をパイロット管路に供給するパイロット油圧源と、パイロット油圧源とパイロット管路を介して接続され、メイン油圧源からアクチュエータに供給される作動油の流量を制御するための制御弁に、パイロット油圧源からのパイロット圧油を供給することにより制御弁の動作を制御する操作弁と、パイロット管路の途中に設けられ、パイロット管路の圧力を所定圧に調整する圧力調整弁と、パイロット管路の途中とタンクとの間を接続して設けられた絞り部と、を備える。そして、絞り部は、エンジンのエンジン回転数が第１エンジン回転数以下になった場合に、前後の差圧が所定圧よりも低い値となるように設定されている。
【０００９】
さらに、パイロット管路に接続されるアキュムレータと、絞り部とパイロット管路との接続点とアキュムレータとの間に位置してパイロット管路に設けられ、アキュムレータから絞り部に向かう圧油の流れを阻止し、逆向きの流れを許可する逆止弁と、逆止弁とアキュムレータとの間に位置してパイロット管路の途中に設けられ、アキュムレータからパイロット管路に向かう圧油の流れを阻止し、逆向きの流れを許可する第１位置と、アキュムレータからパイロット管路へ向かう圧油の流れを許可する第２位置とを備えた切替弁と、パイロット油圧源がパイロット管路にパイロット圧油を供給してるか否かを検出する検出手段と、を備え、切替弁は、パイロット油圧源がパイロット圧油を供給している場合に、第１切替位置に切り替わり、パイロット油圧源がパイロット圧油の供給を停止した場合に、第２切替位置に切り替わるように構成することもできる。
【００１０】
また、メイン油圧源の吐出圧とアクチュエータの負荷圧との差圧が一定となるように、メイン油圧源からアクチュエータに供給される作動油の流量を制御するロードセンシング機構を備えることもできる。
【発明の効果】
【００１１】
本発明によれば、エンジン回転数が第１エンジン回転数以下になると、絞り部の前後の差圧が所定圧よりも低下するため、パイロット管路の圧力は、絞り部によって所定圧よりも低い値に調整される。これにより、操作弁から制御弁に供給されるパイロット圧油の圧力が低下し、制御弁の動作が制限される。この結果、アクチュエータに供給される作動油の流量が低下し、アクチュエータの速度が低下する。
【００１２】
さらに、本発明によれば、アキュムレータの動作がパイロット圧油の圧力制御に影響を与えるのを防止することができ、エンジン停止時にアキュムレータに蓄積されたパイロット圧油を用いてアクチュエータを操作することができる。
【発明を実施するための最良の形態】
【００１３】
以下、図面に基づいて、本発明の実施形態を説明する。本実施形態では、以下に詳述するように、エンジン５の回転数の低下に応じて、パイロット管路１１の圧力を低下させることにより、旋回用スプール弁１の動作を制限し、旋回モータ１Ａの速度を低下させるようになっている。以下、建設機械としての油圧ショベルにおいて、旋回モータ１Ａの速度を制御する場合を例に挙げて説明する。
【実施例１】
【００１４】
図１は、本実施形態による油圧ショベルの操作制御回路１００の全体を示す油圧回路図である。この操作制御回路１００は、油圧ショベルの旋回速度を制御するために好適に用いることができる。
【００１５】
先に、油圧ショベルの構造例について簡単に説明する。油圧ショベルは、例えば、左右一対の履帯を備えた下部走行体と、下部走行体に旋回可能に設けられた上部構造体と、上部構造体の前側に設けられた作業機と、上部構造体に設けられた操作装置及び機械装置等を備えて構成される。操作装置には、後述の旋回用操作弁１２が含まれる。機械装置には、後述のエンジン５、メインポンプ４及びパイロットポンプ１０等が含まれる。
【００１６】
下部走行体は、油圧モータによって履帯を駆動することにより、走行する。下部走行体と上部構造体との間には、旋回モータ１Ａが設けられており、旋回モータ１Ａの回転運動によって、上部構造体は旋回することができる。
【００１７】
作業機は、例えば、上部構造体に回動可能に取り付けられたブームと、ブームの先端に回動可能に取り付けられたアームと、アームの先端に回動可能に取り付けられたバケットとを備えて構成される。バケットはバケットシリンダ３Ａによって、ブームはブームシリンダ２Ａによって、アームはアームシリンダによって、それぞれ回動する。
【００１８】
このように、油圧ショベルには、例えば、旋回モータ１Ａ、ブームシリンダ２Ａ、バケットシリンダ３Ａ等の種々のアクチュエータが設けられている。これら以外に、アームシリンダ、右走行用モータ、左走行用モータ等のアクチュエータも、油圧ショベルは備えることができるが、紙面の都合上、図示を省略する。
【００１９】
旋回モータ１Ａは旋回用スプール弁１によって、ブームシリンダ２Ａはブーム用スプール弁２によって、バケットシリンダ３Ａはバケット用スプール弁３によって、それぞれ操作される。各スプール弁１，２，３は、メインポンプ４からメイン管路６を介して供給された作動油を、それぞれのアクチュエータ１Ａ，２Ａ，３Ａに供給する。
【００２０】
メインポンプ４は、旋回モータ１Ａ等のアクチュエータを駆動させるための作動油を供給する。メインポンプ４は、例えば、ギアポンプや斜板型ポンプ等のように構成することができる。メインポンプ４の駆動軸は、エンジン５の回転軸に接続されており、メインポンプ４は、エンジン５の回転運動を動力源として駆動する。
【００２１】
ここで、各スプール弁１，２，３の負荷側の圧力とメインポンプ４の吐出圧との差圧が一定となるように、いわゆるロードセンシング機構が設けられている。ロードセンシング機構は、例えば、各スプール弁１，２，３に内蔵させることができる。図２と共に、ロードセンシングによる流量制御について後述する。
【００２２】
次に、旋回モータ１Ａを操作するための制御回路について説明する。上述のように、旋回モータ１Ａは、油圧ショベルの上部構造体を下部走行体に対して旋回させるものであり、旋回用スプール弁１によって制御される。
【００２３】
旋回用スプール弁１は、メイン管路６を介してメインポンプ４に接続されており、メインポンプ４から吐出された作動油の量及び方向を制御することにより、旋回モータ１Ａの旋回速度及び旋回方向を制御する。
【００２４】
旋回用スプール弁１は、旋回用操作弁１２によって操作される。旋回用操作弁１２は、上部構造体に設けられる操作装置の一部を構成する。旋回用操作弁１２は、オペレータによる操作レバー１２Ａの操作量及び操作方向に応じて、旋回用スプール弁１に供給するパイロット圧油の量及び方向を制御する。パイロット圧油の量及び方向が制御されることにより、旋回用スプール弁１の動作が制御される。
【００２５】
パイロット圧油は、パイロットポンプ１０により供給される。パイロットポンプ１０は、例えば、ギヤポンプ等のように構成されており、その駆動軸はエンジン５の回転軸に接続されている。従って、エンジン５が始動すると、パイロットポンプ１０は、メインポンプ４と共に作動を開始する。パイロットポンプ１０は、タンク７内の作動油を吸い込んで、吐出口からパイロット圧油を吐出する。
【００２６】
パイロット管路１１は、パイロットポンプ１０の吐出口と旋回用操作弁１２の流入口との間を接続して設けられている。パイロットポンプ１０から吐出されたパイロット圧油は、パイロット管路１１を介して、旋回用操作弁１２に供給される。
【００２７】
ここで、パイロット管路１１の下流側管路１１Ａは、ロック用切替弁１８の流入ポートに接続されており、ロック用切替弁１８を介して、旋回用操作弁１２とパイロット管路１１とは接続されている。
【００２８】
ロック用切替弁１８は、旋回用操作弁１２による操作の可否を決定する弁である。ロック用切替弁１８は、オペレータからの操作によって、旋回操作を許可する位置（ａ）と、旋回操作を禁止する位置（ｂ）とが切り替わるようになっている。ロック用切替弁１８が位置（ａ）に切り替わっている場合、旋回用操作弁１２とパイロット管路１１とは、ロック用切替弁１８を介して接続される。これに対し、ロック用切替弁１８が位置（ｂ）に切り替わった場合、旋回用操作弁１２とパイロット管路１１とは遮断され、管路１１Ａからの圧油はタンク７に戻される。
【００２９】
パイロット管路１１の途中には、下流側管路１１Ａとパイロットポンプ１０の吐出口との間に位置して、分岐管路１１Ｂの一端側が接続されている。分岐管路１１Ｂの他端側はタンク７に接続されている。分岐管路１１Ｂの途中には、後述の絞り部１４が設けられているため、パイロットポンプ１０の作動が停止した場合でも、パイロット管路１１の圧力が直ちにタンク圧まで低下することはない。さらに、パイロット管路１１は、接続管路１１Ｃを介して、後述のアキュムレータ１６に接続されている。
【００３０】
パイロット管路１１の途中には、パイロット管路１１の圧力（パイロット元圧）を所定圧Ｐ１に調整するためのリリーフ弁１３が設けられている。所定圧Ｐ１は、例えば、３０kg/cm^2（2942kPa）程度の値に設定される。所定圧Ｐ１とは、リリーフ圧である。リリーフ弁１３は、余分なパイロット圧油をタンク７に戻すことにより、パイロット管路１１の圧力をＰ１に調整する。
【００３１】
パイロット管路１１の途中には、絞り部１４も設けられている。絞り部１４は、パイロット管路１１の途中から分岐し、タンク７に連通する分岐管路１１Ｂの途中に設けられている。この絞り部１４は、エンジン回転数がローアイドル回転数ＮＬ以下に低下した場合に、絞り部１４の前後の差圧ΔＰが、所定圧Ｐ１よりも小さくなるように、絞り面積等が設定されている（ΔＰ＜Ｐ１）。差圧ΔＰは、例えば、１０kg/cm^2（980kPa）程度の値に設定される。絞り部１４による圧力調整機能については、さらに後述する。
【００３２】
アキュムレータ１６は、接続管路１１Ｃを介してパイロット管路１１に接続されており、パイロットポンプ１０が作動している間に、リリーフ圧（Ｐ１）のパイロット圧油を蓄積する。そして、パイロットポンプ１０が停止した場合、即ち、エンジン５が停止した場合、アキュムレータ１６は、蓄積したパイロット圧油をパイロット管路１１に放出するようになっている。
【００３３】
逆止弁１５は、絞り部１４とアキュムレータ１６との間に位置して、パイロット管路１１の途中に設けられている。即ち、逆止弁１５は、分岐管路１１Ｂとパイロット管路１１との接続点よりも下流側に位置して、パイロット管路１１の途中に設けられている。逆止弁１５は、アキュムレータ１６に畜圧されたパイロット圧油が絞り部１４に向けて流れるのを防止し、逆向きの流れを許可する。
【００３４】
切替弁１７は、アキュムレータ１６の作動を制御するための油圧式切替弁である。アキュムレータ制御用の切替弁１７は、逆止弁１５とアキュムレータ１６との間に位置して、パイロット管路１１の途中に設けられている。この切替弁１７は、第１位置（ａ）及び第２位置（ｂ）を備えている。
【００３５】
切替弁１７が第１位置（ａ）に切り替わっている場合、アキュムレータ１６からパイロット管路１１に向かうパイロット圧油の流れは阻止され、パイロット管路１１からアキュムレータ１６に向かうパイロット圧油の流れは許可される。切替弁１７が第２位置（ｂ）に切り替わっている場合、アキュムレータ１６に畜圧されたパイロット圧油は、パイロット管路１１に流入する。
【００３６】
切替弁１７は、パイロット管路１１から導出される圧力により、第１位置（ａ）と第２位置（ｂ）とを切り替えるようになっている。即ち、パイロットポンプ１０と逆止弁１５との間に位置してパイロット管路１１から検出された圧力は、圧力検出管路１７Ａを介して、切替弁１７に入力される。
【００３７】
パイロット管路１１内に圧力が発生している場合、パイロット管路１１から圧力検出管路１７Ａを介して導かれた圧力により、切替弁１７は、バネ力に抗して、第１位置（ａ）に切り替わっている。パイロット管路１１内の圧力が０近傍に低下し、バネ力を下回ると、切替弁１７は、第１位置（ａ）から第２位置（ｂ）に切り替わる。
【００３８】
つまり、切替弁１７は、エンジン５が始動してパイロットポンプ１０が作動している間は、第１位置（ａ）に切り替わっている。これにより、パイロット管路１１内のパイロット圧油の一部がアキュムレータ１６に流入し、アキュムレータ１６内に蓄積される。また、切替弁１７が第１位置（ａ）に切り替わっている場合、アキュムレータ１６からパイロット管路１１へのパイロット圧油の流入は禁止されている。従って、アキュムレータ１６からのパイロット圧油の影響を受けることなく、パイロット管路１１の圧力を、絞り部１４によって比較的低い値に調節することができる。
【００３９】
次に、パイロット管路１１の圧力を調整する方法について説明する。パイロットポンプ１０の吐出容量をｑ（cc/rev）、所定係数をηvとすると、エンジン回転数がフル回転数（NH（rpm））の場合に、パイロットポンプ１０から吐出されるパイロット圧油の流量QHは、下記の式１から求めることができる。
【００４０】
QH＝ηv・ｑ・NH／1000・・・（式１）
【００４１】
同様に、エンジン回転数がアイドリング回転数（NL（rpm））の場合に、パイロットポンプ１０から吐出されるパイロット圧油の流量QLは、下記の式２から求められる。
【００４２】
QL＝ηv・ｑ・NL／1000・・・（式２）
【００４３】
絞り部１４の圧力−流量特性は、絞り部１４を通過する流量をQa、絞り面積をＡmm^2、流量係数をＣ、絞り部１４の差圧をΔＰとすると、下記式３で示される。
【００４４】
ΔＰ＝（Qa／Ｃ・Ａ）^2・・・（式３）
【００４５】
従って、エンジン回転数がフル回転数NHの場合における絞り部１４の差圧ΔＰは、ΔＰ＝（QH／Ｃ・Ａ）^2となる。エンジン回転数がアイドリング回転数NLの場合におけるΔＰは、ΔＰ＝（QL／Ｃ・Ａ）^2となる。
【００４６】
本実施例では、フル回転数NHの場合のΔＰの値が、所定圧であるリリーフ圧Ｐ１よりも大きくなり（ΔＰ＞Ｐ１）、かつ、少なくともアイドリング回転数NLの場合のΔＰの値がリリーフ圧Ｐ１よりも小さくなるように（ΔＰ＜Ｐ１）、パイロットポンプ１０の吐出容量ｑや絞り面積Ａを設定している。
【００４７】
ΔＰ＞Ｐ１が成立する場合、リリーフ圧Ｐ１の方が低いため、パイロット管路１１の圧力は、リリーフ弁１３によって、比較的高い値のＰ１に調整される。これに対し、ΔＰ＜Ｐ１が成立する場合、絞り部１４の差圧ΔＰの方が低いため、パイロット管路１１の圧力は、絞り部１４によって比較的低い値のΔＰに調整される。
【００４８】
即ち、本実施例の操作制御回路では、エンジン回転数の低下によってパイロット圧油の流量が低下するほど、パイロット圧もＰ１から次第に低下していく。つまり、エンジン回転数の低下に応じて、パイロット圧が低下するように制御される。
【００４９】
図２は、ロードセンシング機構による流量制御の概略を示す流量−エンジン回転数特性を示す特性図である。エンジン５の始動によって、メインポンプ４は、メイン管路６に作動油を吐出する。図２中の太線は、メイン管路６から旋回用スプール弁１を介して旋回モータ１Ａに供給される作動油の流量変化を示す。図６中の細線は、メインポンプ４の総吐出量を示す。
【００５０】
エンジン回転数がアイドリング回転数NLにある場合、旋回モータ１Ａには、所定流量Qmが供給される。その後、エンジン回転数がフル回転数NHに上昇するまでの間も、旋回モータ１Ａには、一定量Qmの作動油が安定して供給される。この所定流量Qmは、旋回モータ１Ａを最高速度で旋回させるために十分な値として設定することができる。
【００５１】
ロードセンシングによって、他のアクチュエータ２Ａ，３Ａの作動状況にかかわらず、また、エンジン回転数にかかわらず、安定した流量Qmを旋回モータ１Ａに供給することができるようになっている。
【００５２】
従って、本発明を適用しない場合、エンジン回転数をアイドリング回転数NLにしたまま、最大の旋回速度で、油圧ショベルを旋回可能である。しかし、停車または低速状態で、微少な操作を行う場合、オペレータは、より緩やかな旋回速度を希望する。
【００５３】
そこで、本実施例では、リリーフ弁１３に加えて、絞り部１４をパイロット管路１１に並列に接続することにより、パイロット圧を可変に調整し、旋回モータ１Ａの速度を制御する。
【００５４】
以下、本実施例による操作制御回路の動作を、図３〜図６を用いて説明する。図３〜図５では、説明の便宜上、図１に示す回路の一部を抜き出して示す。
【００５５】
図３は、エンジン５がフル回転数NHで回転している場合の様子を示す。この場合、パイロットポンプ１０から吐出されるパイロット圧油の流量が大きく、リリーフ弁１３のリリーフ圧Ｐ１の方が、絞り部１４の差圧ΔＰよりも低くなる。従って、パイロット管路１１の圧力は、リリーフ圧Ｐ１に調節される（パイロット圧＝Ｐ１）。
【００５６】
そして、圧力Ｐ１のパイロット圧油は、パイロット管路１１から旋回用操作弁１２に供給される。オペレータが旋回用操作弁１２を操作すると、圧力Ｐ１のパイロット圧油が旋回用スプール弁１に供給され、旋回用スプール弁１が動作する。これにより、旋回モータ１Ａが旋回し、油圧ショベルはオペレータの希望する方向に旋回する。
【００５７】
また、圧力Ｐ１のパイロット圧油の一部は、パイロット管路１１から接続管路１１Ｃ及び切替弁１７を介して、アキュムレータ１６に流入する。これにより、アキュムレータ１６は、圧力Ｐ１のパイロット圧油を蓄積する。
【００５８】
図４は、エンジン５の回転数をアイドリング回転数NLに低下させた場合を示す。この場合、パイロットポンプ１０から吐出されるパイロット圧油の流量が低下し、絞り部１４の差圧ΔＰがリリーフ圧Ｐ１よりも低下する。従って、パイロット管路１１の圧力は、差圧ΔＰに調節される（パイロット圧＝ΔＰ＜Ｐ１）。
【００５９】
アキュムレータ１６内の圧力はＰ１であるから、アキュムレータ１６内の圧力Ｐ１の方が、パイロット管路１１内の圧力ΔＰよりも大きくなる。しかし、切替弁１７は、パイロット管路１１の圧力ΔＰによって、第１位置（ａ）に切り替わったままである。従って、アキュムレータ１６内の圧油が、パイロット管路１１に流入することはない。なお、パイロット管路１１の圧力ΔＰの方がアキュムレータ１６内の圧力Ｐ１よりも低いため、パイロット管路１１からアキュムレータ１６に、パイロット圧油は流入しない。
【００６０】
パイロット管路１１の圧力がΔＰに低下した場合に、オペレータが、操作レバー１２Ａを介して、旋回用操作弁１２を操作すると、低圧（ΔＰ）のパイロット圧油が旋回用スプール弁１に供給される。パイロット圧油の圧力が低いため、旋回用スプール弁１の弁体はフルストロークまで移動せず、スプール弁１の開口面積が制限される。従って、メインポンプ４から旋回モータ１Ａに供給される作動油の流量も低下し、旋回モータ１Ａの速度が低下する。これにより、オペレータは、操作レバー１２Ａをフルストローク位置まで操作した場合でも、比較的緩やかな速度で油圧ショベルを旋回させることができる。
【００６１】
図５は、エンジン５が停止した場合を示す。エンジン５が停止すると、エンジン５の回転力を駆動源とするメインポンプ４及びパイロットポンプ１０も、作動を停止する。パイロット管路１１内に残留していたパイロット圧油は、絞り部１４を介してタンク７に戻され、パイロット管路１１の圧力は０に近づいていく。
【００６２】
パイロット管路１１の圧力が低下し、切替弁１７のバネ力を下回ると、切替弁１７は、第１位置（ａ）から第２位置（ｂ）に切り替わる。これにより、アキュムレータ１６に蓄積されていた圧力Ｐ１のパイロット圧油は、接続管路１１Ｃを介して、パイロット管路１１に流入する。
【００６３】
アキュムレータ１６と絞り部１４との間には、逆止弁１５が設けられているため、アキュムレータ１６からパイロット管路１１に流入した圧油が、絞り部１４を介してタンク７に流れ込むことはない。
【００６４】
このように、エンジン停止後に、パイロット管路１１の圧力は、いったんΔＰよりも小さな値に低下した後、切替弁１７の位置が切り替わることにより、Ｐ１に上昇する。従って、オペレータは、アキュムレータ１６から放出されたパイロット圧油を利用して、旋回用スプール弁１を作動させることができる。これにより、オペレータは、例えば、油圧ショベルが安全な姿勢となるように、旋回させることができる。
【００６５】
図６は、旋回速度が調整される様子を示す特性図である。図６（ａ）は、操作レバー１２Ａのストローク量と旋回モータ１Ａに供給される作動油の流量Qmとの関係を示す特性図である。図６（ａ）中の二点鎖線は、フル回転数の場合の特性を示し、太線はアイドリング回転数の場合の特性を示す。
【００６６】
フル回転数の場合、操作レバー１２Ａの操作量に応じて、旋回モータ１Ａに供給される作動油流量は増大していく。少なくとも操作レバー１２Ａがフルストローク位置（Lmax）まで操作された場合、作動油流量は最大値Qmhに到達する。これに対し、アイドリング回転数の場合、操作レバー１２Ａがフルストローク位置まで操作されても、作動油流量は、最大流量Qmhに達しない。アイドリング回転数の場合、旋回用スプール弁１は、全開しないため、旋回モータ１Ａに供給される作動油流量は、Qmhよりも低い値のQml（Qml＜Qmh）となる。
【００６７】
図６（ｂ）は、エンジン回転数と旋回速度との関係を示す特性図である。上述のように、エンジン回転数が低下すると、旋回モータ１Ａに供給される作動油流量も低下するため、旋回速度も低下する。エンジン５のフル回転時における最大旋回速度をVHとすると、エンジン５のアイドリング回転時における旋回速度はVLとなる（VL＜VH）。
【００６８】
本実施例は、上述のように、絞り部１４をパイロット管路１１に設けることにより、エンジン回転数に応じてパイロット圧を制御することができる。これにより、比較的簡易な構成で、エンジン回転数の低下に応じて旋回速度を低下させることができ、使い勝手が向上する。
【００６９】
本実施例では、エンジン５が停止してパイロット圧が十分低下するまで、アキュムレータ１６のパイロット圧油がパイロット管路１１に流入するのを防止するための切替弁１７を設ける構成とした。従って、エンジン回転数が低下した場合、絞り部１４によりパイロット圧を速やかに低下させて、旋回速度を低下させることができる。切替弁１７を設けない場合、エンジン回転数が低下してパイロット圧がＰ１よりも低下すると、アキュムレータ１６内の圧力Ｐ１のパイロット圧油が、パイロット管路１１に直ちに流れ込む。従って、アキュムレータ１６の作動により、絞り部１４によるパイロット圧の調整が遅れることになる。これに対し、本実施例では、切替弁１７によって、アキュムレータ１６の作動を制御するため、エンジン回転数の低下に応じて速やかにパイロット圧を低下させることができ、使い勝手が向上する。
【００７０】
本実施例では、絞り部１４とアキュムレータ１６との間に逆止弁１５を設けることにより、アキュムレータ１６から供給されたパイロット圧油が絞り部１４を介してタンク７に流入するのを防止することができる。これにより、エンジン停止後の操作機会確保というアキュムレータ１６の機能を損なうことがなく、使い勝手及び信頼性が向上する。
【実施例２】
【００７１】
図７は、本発明の第２実施例を示す回路図である。本実施例では、パイロット管路１１の圧力を検出するための手段として、圧力センサ２０を用いている。また、本実施例のアキュムレータ制御用の切替弁１７は、電磁式切替弁として構成される。
その他の構成は、第１実施例と同様であるため、説明を省略し、本実施例に特徴的な構成を中心に説明する。
【００７２】
圧力センサ２０は、パイロット管路１１の圧力が所定の設定圧（０または０近傍の値）よりも大きい場合に、電気信号を出力する。切替弁１７は、圧力センサ２０からの電気信号によって、第１位置（ａ）を維持する。エンジン５が停止して、パイロット管路１１の圧力が設定圧以下に低下すると、圧力センサ２０からの電気信号が停止する。これにより、切替弁１７は、第１位置（ａ）から第２位置（ｂ）に切り替わる。
このように構成される本実施例でも、前記第１実施例と同様の効果を奏する。
【実施例３】
【００７３】
図８は、本発明の第３実施例を示す回路図である。本実施例では、エンジン５の作動状態を検出するためのセンサ３０を設け、このセンサ３０からの信号によって、電磁式切替弁１７を切り替える。
【００７４】
センサ３０は、例えば、燃料噴射量やエンジン回転数等に基づいて、エンジン５が始動しているか否かを検出し、電気信号を出力する。エンジン５が始動している場合、パイロットポンプ１０も作動しており、パイロット圧が発生している。これに対し、エンジン５が停止した場合、パイロットポンプ１０も作動を停止するため、パイロット圧は、０または０近傍まで低下する。
【００７５】
従って、エンジン５の始動状態を検出することにより、パイロット圧の有無を間接的に検出することができる。なお、エンジン５が停止してからパイロット圧が０または０近傍に低下するまでには、多少の遅延時間が存在すると考えられる。従って、この遅延時間を考慮して、センサ３０の出力信号が「エンジン始動」から「エンジン停止」に遷移する際の時間を調節すればよい。
このように構成される本実施例も、前記第１実施例と同様の効果を奏する。
【実施例４】
【００７６】
図９は、本発明の第４実施例を示す回路図である。本実施例では、図１に示す回路から、逆止弁１５，アキュムレータ１６及び切替弁１７に関する構成を取り去っている。その他の構成は、第１実施例と同様である。
アキュムレータ１６によるエンジン停止後の操作機会確保という機能が要求されない場合は、本実施例のように構成することもできる。
【００７７】
なお、本発明は、上述した実施の形態に限定されない。当業者であれば、本発明の範囲内で、種々の追加や変更等を行うことができる。
【００７８】
例えば、旋回モータ以外の他のアクチュエータ（ブームシリンダ、アームシリンダ、走行モータ等）にも、本発明を適用可能である。また、建設機械として、油圧ショベルを例に挙げて説明したが、これに限らず、例えば、油圧クレーン車等の他の建設機械にも適用可能である。さらに、第３実施例では、エンジンの始動を電気的に検出する場合を述べたが、これに代えて、例えば、クランクシャフトの回転運動等を機械的に検出し、これによって、アキュムレータ制御用の切替弁を切り替える構成でもよい。
【図面の簡単な説明】
【００７９】
【図１】操作制御回路の回路図。
【図２】旋回モータに供給される作動油の流量とエンジン回転数との関係を示す特性図。
【図３】エンジンがフル回転時の様子を示す回路図。
【図４】エンジンがアイドリング回転時の様子を示す回路図。
【図５】エンジン停止時の様子を示す回路図。
【図６】（ａ）は操作レバーの操作量と旋回モータに供給される作動油流量の関係を示す特性図、（ｂ）はエンジン回転数と旋回速度の関係を示す特性図。
【図７】本発明の第２実施例に係る操作制御回路の回路図。
【図８】本発明の第３実施例に係る操作制御回路の回路図。
【図９】本発明の第４実施例に係る操作制御回路の回路図。
【符号の説明】
【００８０】
１…旋回用スプール弁、１Ａ…旋回モータ、２…ブーム用スプール弁、２Ａ…ブームシリンダ、３…バケット用スプール弁、３Ａ…バケットシリンダ、４…メインポンプ、５…エンジン、６…メイン管路、７…タンク、１０…パイロットポンプ、１１…パイロット管路、１１Ａ…下流側管路、１１Ｂ…分岐管路、１１Ｃ…接続管路、１２…旋回用操作弁、１２Ａ…操作レバー、１３…リリーフ弁、１４…絞り部、１５…逆止弁、１６…アキュムレータ、１７…切替弁、１７Ａ…圧力検出管路、１８…ロック用切替弁、２０…圧力センサ、３０…エンジン作動状態検出センサ、Ｐ１…リリーフ圧、ΔＰ…絞り部の差圧
【図１】
2007255506.tif 000003
【図２】
2007255506.tif 000004
【図３】
2007255506.tif 000005
【図４】
2007255506.tif 000006
【図５】
2007255506.tif 000007
【図６】
2007255506.tif 000008
【図７】
2007255506.tif 000009
【図８】
2007255506.tif 000010
【図９】
2007255506.tif 000011